(57)【要約】      （修正有）【課題】双方向流熱交換領域を有する閉ループ熱交換カテーテル、並びにそれらの製造法および使用法を提供する。【解決手段】双方向流熱交換領域を有する閉ループ熱交換カテーテル１２、並びにそれらの製造法および使用法。熱交換領域は、熱交換媒体が循環する供給流路および帰還流路を画定する一連のループ１４またはコイル状形態に構成された拡張性または非拡張性の管状導管から形成される。前記コイル状形態の渦巻きの個々のループは同一の大きさ、または異なる大きさである。いくつかの実施形態において、管状導管は、ループまたは渦巻きがカテーテルシャフトから突出するように、カテーテルシャフトに形成された略横断方向の孔を通過させられる。【選択図】図１
2019088820.tif 000002
【特許請求の範囲】
【請求項１】
長尺状カテーテル本体と、
基端部および先端部を有する熱交換領域と、を備えるカテーテル装置であって、
前記熱交換領域は、熱交換流体が前記先端部に向かって流れる第１流路と、熱交換流体が前記基端部に向かって流れる第２流路と、を備える、カテーテル装置。
【請求項２】
熱交換器は熱交換流体が流れるチューブを備え、前記チューブの第１セグメントは第１流路を形成し、かつ、前記チューブの第２セグメントは第２流路を形成する、請求項１に記載のカテーテル装置。
【請求項３】
前記カテーテル本体は流入管腔および流出管腔を有し、かつ、前記チューブは第１端部および第２端部を有し、
前記チューブの第１端部は前記流入管腔に接続され、
前記チューブの第１セグメントは第１流路を形成し、
前記チューブの第２セグメントは第２流路を形成し、
前記チューブの第２端部は前記流出管腔に接続されている、請求項２に記載のカテーテル装置。
【請求項４】
前記チューブは、前記カテーテル本体の壁厚よりも薄い壁厚を有する、請求項２に記載のカテーテル装置。
【請求項５】
前記カテーテル本体には一連の横断方向の孔が形成されており、前記チューブは、前記チューブのループがカテーテル本体の外側に存在するように、前記孔を通り抜けている、請求項２に記載のカテーテル装置。
【請求項６】
前記カテーテル本体は、前記カテーテル本体の少なくとも一部を通って延び、先端側ポートにおいて先端側が終了する貫通管腔をさらに備える、請求項１に記載のカテーテル装置。
【請求項７】
前記貫通管腔は、前記カテーテル本体のガイドワイヤ上における前進を容易にするためのガイドワイヤ管腔として使用可能である、請求項６に記載のカテーテル装置。
【請求項８】
前記貫通管腔は、対象者の身体内への治療物質または装置の送達を容易にするための送達管腔として使用可能である、請求項６に記載のカテーテル装置。
【請求項９】
前記チューブの第１セグメントに形成されたチュービングループと、前記チューブの第２セグメントに形成されたチュービングループとが、互いに重なり合うか、または交差する、請求項５に記載のカテーテル装置。
【請求項１０】
前記横断方向の孔は形状が卵形または楕円形である、請求項１に記載のカテーテル装置。
【請求項１１】
前記横断方向の孔は、前記カテーテル本体の長手軸線に対して非直角の角度でカテーテル本体を通って延びている、請求項１に記載のカテーテル装置。
【請求項１２】
第１流路は第１直径または断面寸法の渦巻きまたはループを備え、第２流路は第１直径または断面寸法より小さい第２直径または断面寸法の渦巻きまたはループを備える、請求項１に記載のカテーテル装置。
【請求項１３】
第１流路は第１長さであり、第２流路は前記第１長さよりも短い第２長さである、請求項１に記載のカテーテル装置。
【請求項１４】
前記カテーテル装置を介して加熱または冷却された熱交換流体を循環させるための装置と組み合わされた、請求項１に記載のカテーテル装置を含むシステム。
【請求項１５】
対象者の全身または身体の一部の温度を感知するために使用可能な温度センサーをさらに備える、請求項１４に記載のシステム。
【請求項１６】
前記カテーテル装置を介して循環される熱交換の温度および流量の少なくとも一方を制御する制御装置をさらに備える、請求項１４に記載のシステム。
【請求項１７】
前記制御装置は、ａ）入力目標体温と、ｂ）感知した体温を示す温度センサーからの信号とを受信し、かつ、前記感知した体温を前記目標体温と同じか、または前記目標体温の許容範囲内にするようにさせる、またはしようとする方法で、前記熱交換流体の温度および流量の少なくとも一方を変化させるようにプログラムされている、請求項１６に記載のシステム。
【請求項１８】
哺乳類の対象者の体温を変更または制御するための方法であって、前記方法は、
請求項１乃至１８のいずれか１項に記載の熱交換カテーテルを対象者の脈管構造内に、前記熱交換領域が前記脈管構造を介して流れる血液と接触するように、挿入する工程と、
前記熱交換領域の供給流路および帰還流路を介して熱交換流体を循環させて、前記対象者の脈管構造を介して流れる血液を加温または冷却する工程とを含む、方法。
【発明の詳細な説明】
【技術分野】
【０００１】
本発明は、医学および生物医学工学に関し、より具体的には、熱交換カテーテル装置並びにそれらの製造法および使用法に関する。
【背景技術】
【０００２】
米国特許法施行規則（３７ＣＦＲ）第１．７１条（ｅ）項に準じて、この特許文書は、著作権保護を受ける内容を含む。版権所有者は、それが特許商標庁の包袋または記録に掲載されている通りに、特許文書または特許情報開示全体の複写に異議はないが、他の場合には如何なる著作権の権利もすべて留保する。
【０００３】
低体温は、虚血、酸素欠乏、または中毒による損傷（ｔｏｘｉｃ  ｉｎｓｕｌｔ）の作用から様々な器官および組織（例えば、毛髪、脳、腎臓）を保護する目的で、ヒトおよび一部の動物において誘発され得る。例えば、動物研究および／または臨床試験により、軽度の低体温は、虚血性心イベント（例えば、心筋梗塞（ｍｙｏｃａｒｄｉａｌ  ｉｎｆｒａｃｔ）、急性冠動脈症候群など）、心肺蘇生術後の無酸素後昏睡（ｐｏｓｔａｎｏｘｉｃ  ｃｏｍａ）、外傷性脳損傷、卒中、クモ膜下出血、熱および神経学的損傷に罹患している動物またはヒトにおいて、神経保護作用および／または心臓保護作用を有し得ることが示唆されている。また、研究により、全身低体温が血管造影術処置を受ける腎機能障害の既往がある患者の腎臓に対するＸ線造影剤の毒性作用（例えば造影剤ネフロパシー）を改善し得ることが示されている。
【０００４】
低体温を誘発する１つの方法は、血管内に熱交換カテーテルを挿入し、血管内に挿入したカテーテルの一部に配置された熱交換器を介して熱交換流体を循環させる血管内温度管理（ｅｎｄｏｖａｓｃｕｌａｒ  ｔｅｍｐｅｒａｔｕｒｅ  ｍａｎａｇｅｍｅｎｔ：ＥＴＭ）によるものである。熱交換流体は、カテーテルの熱交換器を介して循環するにつれ、血管内において熱交換器を通過して流れる血液と熱を交換する。そのような技術は、対象者の血流を冷却することによって、対象者の深部体温を所望の目標温度に低下させるために用いられ得る。またＥＴＭは、監視している体温を選択した温度で維持するために、身体を暖めたり、かつ／または、体温を制御したりすることもできる。選択した目標温度からの再加温または再冷却の制御された速度が所望される場合には、それは身体に加えられる熱量または身体から除去される熱量を慎重に制御し、それにより患者の温度変化を制御することによって行うこともできる。
【０００５】
すべてではないが、ほとんどの市販の熱交換カテーテルでは、熱交換流体流はカテーテルシャフトの流入管腔を通って流れ、次にカテーテルの熱交換器の一端に進入し、次いで熱交換器を通って流れ、次に前記熱交換器からカテーテルシャフト内に位置する流出管腔へと退出する。一般に、熱交換流体がカテーテルの熱交換器を通って、前記熱交換器が配置されている血管を通って血液が流れている方向と反対の方向に流れる場合に、より大きな熱交換効率が得られる。したがって、使用されるカテーテルのタイプおよび／またはカテーテルのどのポートが流入および流出に用いられるべきかの選択は、それぞれ、意図したカテーテルの進入部位および配置によって決定される場合もある。例えば、いくつかの場合には、熱交換カテーテルは大腿静脈に挿入され、その熱交換器は対象者の大静脈内に位置する位置に進められる。そのような場合、通常は大静脈を通って流れる血液は、熱交換器の基端部から先端部に向かって進行する。したがって、それらの場合には、概して、熱交換流体は、カテーテルの熱交換器にその先端部において進入し、前記熱交換器の基端部に向かって後ろに（すなわち、血流の方向と反対に）流れることが望ましい。しかしながら、熱交換器カテーテルが大腿動脈に挿入され、前記熱交換器が下行大動脈内に位置する位置に進められる場合には、通常は下行大動脈を通って流れる血液は、熱交換器の先端部から熱交換器の基端部に向かって進行する。したがって、それらの場合には、概して、熱交換流体はカテーテルの熱交換器にその基端部において進入し、前記熱交換器の先端部に向かって先端方向に（すなわち、血流の方向とは反対に）流れることが望ましい。
【０００６】
また、熱交換流体がカテーテルの熱交換器を通って単一方向のみに流れる熱交換カテーテルでは、前記熱交換流体は、典型的には、カテーテルの内部管腔を通って熱交換器の一方の端部または他方の端部へ流される（ｓｈｕｎｔｅｄ）。しかしながら、その内部管腔を進んでいる間、熱交換流体は、たとえあったとしても最小限の熱しか血流と交換していない。
【０００７】
以下の米国特許第６，８８１，５５１号（特許文献１）および第６，５８５，６９２号（特許文献２）（トリローブ（ｔｒｉ−ｌｏｂｅ）カテーテル）、第６，５５１，３４９号（特許文献３）および第６，５５４，７９７号（特許文献４）（ベロー（ｂｅｌｌｏｗｓ）を備えた金属カテーテル）、第６，７４９，６２５号（特許文献５）および第６，７９６，９９５号（特許文献６）（非直線かつ非らせん状の熱交換要素を備えたカテーテル）、第６，１２６，６８４号（特許文献７）、第６，２９９，５９９号（特許文献８）、第６，３６８，３０４号（特許文献９）および第６，３３８，７２７号（特許文献１０）（多数の熱交換バルーンを備えたカテーテル）、第６，１４６，４１１号（特許文献１１）、第６，０１９，７８３号（特許文献１２）、第６，５８１，４０３号（特許文献１３）、第７，２８７，３９８号（特許文献１４）および第５，８３７，００３号（特許文献１５）（カテーテル用熱交換系）、第７，８５７，７８１号（特許文献１６）（様々な熱交換カテーテル）は、対象者の体温を変化させるため、または維持するために使用可能な様々な血管内カテーテル／システム／方法を開示している。前記特許文献の全開示は参照により明らかに本願に援用される。
【先行技術文献】
【特許文献】
【０００８】
【特許文献１】米国特許第６，８８１、５５１号明細書
【特許文献２】米国特許第６，５８５，６９２号明細書
【特許文献３】米国特許第６，５５１，３４９号明細書
【特許文献４】米国特許第６，５５４，７９７号明細書
【特許文献５】米国特許第６，７４９，６２５号明細書
【特許文献６】米国特許第６，７９６，９９５号明細書
【特許文献７】米国特許第６，１２６，６８４号明細書
【特許文献８】米国特許第６，２９９，５９９号明細書
【特許文献９】米国特許第６，３６８，３０４号明細書
【特許文献１０】米国特許第６，３３８，７２７号明細書
【特許文献１１】米国特許第６，１４６，４１１号明細書
【特許文献１２】米国特許第６，０１９，７８３号明細書
【特許文献１３】米国特許第６，５８１，４０３号明細書
【特許文献１４】米国特許第７，２８７，３９８号明細書
【特許文献１５】米国特許第５，８３７，００３号明細書
【特許文献１６】米国特許第７，８５７，７８１号明細書
【発明の概要】
【発明が解決しようとする課題】
【０００９】
当業において、改善された熱交換効率および／または使い易さを提供する新たな熱交換器カテーテルおよび方法を開発する必要が依然としてある。
【課題を解決するための手段】
【００１０】
本発明によれば、カテーテルの熱交換領域を通る熱交換流体の双方向流を有する熱交換カテーテル装置が提供される。
さらに本発明によれば、本発明の双方向流熱交換カテーテルを挿入し、前記カテーテルを介して熱交換媒体を循環させて、対象者の体温の制御の所望の変更をもたらすことにより、ヒトまたは動物の対象者の体温を変更または制御するための方法が提供される。
【００１１】
いくつかの実施形態において、前記カテーテルは、カテーテルシャフトと、管状導管とを備える。前記管状導管は、前記カテーテルシャフト上に配列されるか、または前記カテーテルシャフトに接続されて、熱交換媒体供給流路と熱交換媒体帰還流路とを有する熱交換領域を画定する。本願において詳細に説明するように、前記管状導管は、前記管状導管のループがカテーテルシャフトから突出するように、カテーテルシャフトの孔を通過して（例えば通されて）いるか、または前記管状導管はカテーテルシャフトに取り付けられているが、全体がカテーテルシャフトの外側（ｏｕｔｂｏａｒｄ）に配置され得る。前記管状導管は非拡張性チュービング（ｎｏｎ−ｅｘｐａｎｄｉｎｇ  ｔｕｂｉｎｇ）から形成されてもよいし、または、いくつかの実施形態では、前記管状導管は、前記管状導管内に現在ある熱交換媒体の圧力に従って交互に拡張したり、潰れたりするバルーンまたはコラプシブルチュービング（ｃｏｌｌａｐｓｉｂｌｅ  ｔｕｂｉｎｇ）（例えばコンプライアントまたはノンコンプライアント材料）からなってもよい。
【００１２】
さらに本発明の態様および詳細は、以下に述べる詳細な説明および実施例を読むと理解されるであろう。
【図面の簡単な説明】
【００１３】
【図１】本発明の血管内温度管理システムの概略図。
【図２Ａ】本発明のカテーテル装置の製造中において、内部に形成された複数の横断方向の孔を有するカテーテル本体の一部の部分的斜視図。
【図２Ｂ】チューブのループがカテーテルの両側に突出するように、横断方向の孔を互い違いの方向に通過することによって、熱交換流体のための供給流路を形成するチューブを有する図２Ａのカテーテル本体部分の部分斜視図。
【図２Ｃ】チューブの付加的なループがカテーテルの両側において突出し、それにより熱交換流体のための帰還流路を形成するように、介在する横断方向の孔を互い違いの方向にさらに通過しているチューブを備えた図２Ｂのカテーテル本体を示す図。
【図２Ｄ】本発明の双方向流熱交換カテーテルの一例の部分斜視図。
【図２Ｅ】本発明の双方向流熱交換カテーテルの別の例の部分斜視図。
【図３】図２Ｅの線３−３を通る横断面図。
【図４】図２Ｅ示されるような熱交換領域を有する本発明の完全に組み立てられたカテーテル装置の一実施形態の側面図。
【図５】本発明の熱交換カテーテル上で使用可能な代替の双方向流熱交換装置の側面図であり、前記熱交換流体帰還流路は熱交換流体供給流路より短い。
【図５Ａ】図５の代替の双方向流熱交換装置の先端図。
【図６】熱交換領域が熱交換流体供給流路より短い熱交換流体帰還流路を有する、本発明の双方向流熱交換カテーテルのさらに別の例の部分側面図。
【図７】熱交換領域が熱交換流体供給流路より短い熱交換流体帰還流路を有する、本発明の双方向流熱交換カテーテルのさらに別の例の部分側面図。
【図８Ａ】双方向熱交換流体流路を有する熱交換領域を形成するために、本発明のカテーテルの上および／または中にチュービングが配備され得る様々な代替的方法を示す概略図。
【図８Ｂ】双方向熱交換流体流路を有する熱交換領域を形成するために、本発明のカテーテルの上および／または中にチュービングが配備され得る様々な代替的方法を示す概略図。
【図８Ｃ】双方向熱交換流体流路を有する熱交換領域を形成するために、本発明のカテーテルの上および／または中にチュービングが配備され得る様々な代替的方法を示す概略図。
【図８Ｄ】双方向熱交換流体流路を有する熱交換領域を形成するために、本発明のカテーテルの上および／または中にチュービングが配備され得る様々な代替的方法を示す概略図。
【図８Ｅ】双方向熱交換流体流路を有する熱交換領域を形成するために、本発明のカテーテルの上および／または中にチュービングが配備され得る様々な代替的方法を示す概略図。
【図８Ｆ】双方向熱交換流体流路を有する熱交換領域を形成するために、本発明のカテーテルの上および／または中にチュービングが配備され得る様々な代替的方法を示す概略図。
【図８Ｇ】双方向熱交換流体流路を有する熱交換領域を形成するために、本発明のカテーテルの上および／または中にチュービングが配備され得る様々な代替的方法を示す概略図。
【発明を実施するための形態】
【００１４】
以下の詳細な説明およびそれが参照する添付図面は、本発明のいくつかの例または実施形態を記載しているが、それらの例または実施形態は必ずしもすべてではないことが意図される。記載する実施形態は、あらゆる点で、単に例示および非限定的なものとして見なされるべきである。この詳細な説明の内容および添付図面は、本発明の範囲を決して限定するものではない。
【００１５】
従来技術の典型的な熱交換カテーテルシステムでは、その体温が加温、冷却、または維持されるべき対象者の血管内に可撓性熱交換カテーテルを挿入するとともに、前記カテーテル上に位置する熱交換器を介して熱交換媒体（例えば加熱または冷却された塩水）を循環させる。典型的には、前記熱交換流体は、前記カテーテルの熱交換器を通って一方向（すなわち、先端（アウトバウンド）方向または基端（インバウンド）方向のいずれか）に流れる。これは、並流（ｃｏ−ｃｕｒｒｅｎｔ）熱交換または対向流熱交換のいずれかをもたらす。並流熱交換では、熱交換流体は、対象者の血液が熱交換器を通って流れているのと同一の方向にカテーテルの熱交換器を通って流れている。対向流熱交換では、熱交換流体は、対象者の血液が熱交換器を通って流れている方向とは反対の方向にカテーテルの熱交換器を通って流れている。本発明は、熱交換流体がカテーテルの熱交換器内を並流および対向流の双方の方法で通って流れるように、カテーテルの熱交換器が先端方向（すなわちアウトバウンド）流路および基端方向（すなわちインバウンド）流路の双方を有する熱交換カテーテルおよびシステムを提供する。下記においてより十分に説明するように、このカテーテルの熱交換器を通る熱交換流体の双方向の流れは、熱交換流体がカテーテルシャフト内で費やす時間を最小にし、かつ、熱交換流体がカテーテルの熱交換器を通って流れて対象者の血液と効果的に熱を交換している時間を最大にする。加えて、熱交換流体のこの双方向の流れは、熱交換流体がカテーテルの熱交換器の同一端部（例えば基端部）における進入および退出を可能にし、それによりカテーテルシャフトを介して熱交換器の先端部へ、またはその先端部から熱交換流体を往復させる（ｓｈｕｔｔｌｅ）ための先端側管腔を提供する必要をなくす。これは、高い熱伝達率を支援しない比較的厚肉（ｔｈｉｃｋ  ｗａｌｌｅｄ）のカテーテルシャフトの使用を可能にし、また基端側カテーテルシャフト内の流入管腔および流出管腔の長さをより短くすることを可能にする。熱交換チューブと比較して、流入管腔および流出管腔は、直径が比較的小さい。従って、それらの長さの短縮は、カテーテルを介して塩水を送り出すのに必要とされる圧力の量を低減し、かつ／または、塩水流の流量を増大させることによって熱交換率（ｒａｔｅ  ｏｆ  ｈｅａｔ  ｅｘｃｈａｎｇｅ）を増大させる。
【００１６】
図１は、熱交換チュービングループ１４、体外制御卓Ｃ、および少なくとも１つの体温センサーＴＳを有するタイプの熱交換カテーテル１２を備えた血管内温度管理システム１０の概略図である。この例において、体外制御卓Ｃは、制御装置（例えばマイクロプロセッサー制御装置）、前記制御装置にデータを入力するためのユーザーインタフェースＵＩ、熱交換媒体（例えば０．９％の塩化ナトリウム溶液）の温度を調節するための加熱器／冷却器、および熱交換媒体をポンプ輸送するためのポンプを収容している。
【００１７】
カテーテル１２は、制御卓Ｃ内のポンプが熱交換チューブ１４を介して温度制御された熱交換媒体を循環させるように、流入ラインＩＬおよび流出ラインＯＬによって体外制御卓Ｃに接続されている。前記熱交換チューブ１４は、熱交換チューブの第１セグメントが先端（アウトバウンド）方向に延び、チューブ１４の第２セグメントは基端（インバウンド）方向に戻るように、カテーテル上に取り付けられているか、または通されている。示したように、熱交換チューブ１４は、対象者の脈管構造を通る流れが熱交換チューブ１４上を通過して熱交換チュービング１４と近接し、それにより循環する熱交換媒体と対象者の血流との間で熱が交換されることを可能にするように、カテーテル本体から外側に突出する一連のループに構成され得る。対象者の血流の加温または冷却は、次いで対象者の身体のすべてまたは所望部分の加温または冷却をもたらす。図１に示す特定の限定されない例では、カテーテル１２の先端側部分は、熱交換チュービングループ１４が対象者の下大静脈ＩＶＣの内に存在するように配置されている。そのようなカテーテルの配置は、全身温度管理が所望される用途に適している。
【００１８】
温度センサーＴＳは、温度調節または抑制を実施することが所望される身体の全体または一部の温度を測定するために、対象者の身体の上または中に配置され得る。制御卓Ｃ内の制御装置は、現在感知した体温を示す温度センサーＴＳからの信号を受信する。所望の目標温度がユーザーインタフェースＵＩによって入力されてもよく、次に制御装置は、目標体温を達成および／または維持するために、熱交換媒体の温度および／また流量（ｆｌｏｗａｔｅ）を調節するように、加熱冷却器および／またはポンプに制御信号を発するであろう。図１に示したこの例で述べられているタイプの制御卓は、カリフォルニア州サニーヴェール所在のゾール  サーキュレーションからＴｈｅｒｍｏｇａｒｄ  ＸＰＳ（商標）温度管理システムとして市販されている。
【００１９】
カテーテル１２は図２Ａ〜図４に示す方法で構成され、製造され得る。この例において、カテーテル１２は、概して、長尺状カテーテル本体１１と、熱交換チューブ１４とを備える。カテーテル本体１１は少なくとも流入管腔１８と流出管腔１９とを有し、流入管腔１８および流出管腔１９はカテーテル本体１１の少なくとも基端側部分を通って延びている。任意選択で、本発明の任意のカテーテルにおいて、貫通管腔１６は、カテーテル本体１１の全長を通って延びていてもよく、先端側注入またはガイドワイヤ管腔として使用可能となるように、カテーテル１２の先端部の開口において先端側が終了する（ｔｅｒｍｉｎａｔｉｎｇ  ｄｉｓｔａｌｌｙ）。また任意選択で、本発明の任意のカテーテルにおいて、カテーテル本体は、内側注入ポート（図４の要素４６）で終了する随意の内側注入管腔（図示せず）、および／または、基端側注入ポート（図４の要素４４）で終了する基端側注入管腔（図示せず）のような、１つ以上の付加的な管腔およびポートを備えてもよい。カテーテル１２の個々の管腔は、カテーテル本体１１内に一体的に形成されて（例えば、押し出されて）もよいし、またはカテーテル本体１１の管腔を通過する１本以上の独立した管からなってもよい。
【００２０】
図２Ａに見られるように、製造時に、一連の横断方向の孔１３はカテーテル本体１２を介して形成される。これらの横断方向の孔１３は、カテーテル本体１１の長手軸線ＬＡに対して任意の適当な角度で形成され得る。また、流入管腔１８に通じる第１窓２０は、孔１３より基端側の位置の、カテーテル本体１１の壁の第１位置において削られるか、または他の方法で形成される。流出管腔１９に通じる第２窓２２は、またも孔１３の基端側である、カテーテル本体１１の壁の第２位置において削られるか、または他の方法で形成される。
【００２１】
図２Ｂに示すように、熱交換チューブ１４の第１（アウトバウンド）セグメントは、熱交換チューブ１４のその第１セグメントのループがカテーテル本体１１の外側（ｏｕｔｂｏａｒｄ）に突出したままとなるように、孔１３を１つおきに横断しながら、カテーテル１２の先端部に向かって進められる。
【００２２】
その後、図２Ｃに見られるように、熱交換チューブ１４の第２（インバウンド）セグメントが残りの孔１３を横断しながらカテーテル１２の基端部に向かって後ろに進められることにより、示したように、チューブ１４のその第２セグメントにおけるループを形成する。チューブ１４が、通される（ｌａｃｅｄ）、通り抜ける（ｔｈｒｅａｄｅｄ）、または他の場合には配置される方法は変化し得ることが理解されるべきである。チューブ１４が通される、通り抜ける、または他の場合には配置される代替方法、および／または、本発明の双方向流カテーテルの構成のための他の代替モードを示す多数の概略図が付録Ａとして本願に添付されている。
【００２３】
熱交換チューブ１４の第１端部は窓２０を介して流入管腔１８に挿入され、流入管腔１８の壁に固定される。これは、流入熱交換媒体が流入管腔１８から熱交換チューブ１４の第１端部（例えば先端部）へ流れる密封接続を形成する。熱交換チューブ１４の流入管腔１８の管腔壁への取付けのシールは、熱シールのような任意の適当な手段、または接着によって行われ得る。この目的のために使用可能な接着剤の例としては、シアノアクリレート接着剤（例えば、オハイオ州ウェストレーク所在のヘンケル  コーポレイト（Ｈｅｎｋｅｌ  Ｃｏｒｐｏｒａｔｅ）から入手可能なロックタイト（Ｌｏｃｔｉｔｅ）４０１１）、ＵＶ硬化性アクリル接着剤（例えば、オハイオ州ウェストレーク所在のヘンケル  コーポレイトから入手可能なロックタイト３３１１）、およびエポキシ系接着剤（例えば、オハイオ州ウェストレーク所在のヘンケル  コーポレイトから入手可能なロックタイト３９８１）が挙げられるが、必ずしもこれらに限定されるものではない。熱交換チューブ１４の他方の端部は窓２２を介して流出管腔１９に挿入され、上述したのと同じ方法で流出管腔１９の壁に固定される。
【００２４】
この構造は、熱交換媒体が、流入管腔１８を通ってカテーテル１２に流れ込み、次に熱交換チューブ１４の第１端部に流れ込み、熱交換チューブ（先端方向において）の第１セグメントを通り、次に熱交換チューブ１４の第２セグメントを（基端方向に）通って、流出管腔１９に戻り、次にカテーテル１２から流出することを可能にする。このように、前記熱交換媒体は、前記熱交換チューブを介して、先端方向および基端方向の双方に流れる。
【００２５】
示した特定の例において、孔１３は、楕円形または卵形の穴あけ器を所定の軌道においてカテーテル本体１２を通して進めることによって、またはレーザー切断またはウォータジェット切断のような適当な代替手段によって形成された楕円形または卵形の孔である。そのような孔１３は、カテーテル本体１２の長手軸線ＬＡに対してほぼ直角にカテーテル本体１２内を通って延びている。孔１３の軌道は、管腔１６の壁が原形を保つ（ｒｅｍａｉｎｓ  ｉｎ  ｔａｃｔ）ように、貫通管腔１６が閉塞しないようにする。カテーテル本体１１の基端側部分に随意の管腔（例えば、基端側および／または内側注入管腔）を有する実施形態において、そのような基端側管腔は、孔１３が形成される場所より基端側の位置において、終了するか、または末端が基端側および内側注入管腔出口開口４４，４６（図４に図示）にシールされ得る。従って、任意選択の内側注入管腔および基端側注入管腔（存在する場合には）は、孔１３が形成される領域では機能しない。
【００２６】
カテーテル本体１２は、対象とする用途に対して適切な大きさであり、かつ、前記用途に適した任意の材料から形成されている。例えば、多くの用途において、カテーテル本体１２は、意図した血管または他の体管腔を介して対象者の体内の所望の位置に誘導するために十分に可撓性でありながら、約１００ｐｓｉ（６８９ＫＰａ）までの使用圧に耐えるために充分な剛性および壁厚を有することが望ましい。典型的には、これは、６Ｆｒ（０．０８０インチ（２．０３２ｍｍ））〜１４Ｆｒ（０．１８０インチ（４．５７２ｍｍ））の外径を有し、かつ、生体適合性ポリウレタン（例えばニュージャージー州フォーハムパーク（Ｆｌｏｒｈａｍ  Ｐａｒｋ）所在のバスフ  コーポレイション（ＢＡＳＦ  Ｃｏｒｐｏｒａｔｉｏｎ）から入手可能なＥｌａｓｔｏｌｌａｎ（商標）、またはオハイオ州ウィクリフ所在のルーブリゾール  コーポレイション（Ｌｕｂｒｉｚｏｌ  Ｃｏｒｐｏｒａｔｉｏｎ）から入手可能なＴｅｃｏｔｈａｎｅ（商標））、またはポリエーテルブロックアミド（例えばペンシルベニア州フィラデルフィア所在のアルケマ  インコーポレイテッド（Ａｒｋｅｍａ，Ｉｎｃ．）から入手可能なＰｅｂａｘ（商標））から形成されたカテーテル本体によって達成され得る。
【００２７】
熱交換チューブ１４は、カテーテル装置の対象とする用途に適切な大きさであり、かつ、前記用途に適した任意の材料から形成され得る。例えば、多くの用途において、熱交換チューブ１４は、ａ）熱伝導を最良に促進するために薄い壁厚（典型的には約０．００１インチ（０．０２５４ｍｍ））を有すること、ｂ）約１００ｐｓｉ（６８９ＫＰａ）までの圧力に耐えるために十分な引張強度を有すること、ｃ）圧力下で抑制できないほど拡張しないように十分に硬質または半硬質であることが望ましい。したがって、チューブ１４がそのような壁厚および特性を有するチューブに押し出しおよび／または吹き込み可能な材料から形成されることが望ましい。チューブ１４を形成するのに適し得る材料の例としては、様々な供給元から入手可能なポリエチレンテレフタレート（ＰＥＴ）またはポリエーテルブロックアミド（例えばペンシルベニア州フィラデルフィア所在のアルケマ  インコーポレイテッドから入手可能なＰｅｂａｘ（商標））が挙げられる。
【００２８】
いくつかの実施形態において、熱交換チューブ１４の突出ループを熱硬化または他の適当な成形技術によって所望形状に形成することが望ましい。
また図４に示すように、完全に組み立てられたときに、この例のカテーテル装置１２は、その基端部上にハブ３０を備える。ハブ３０は、流出管腔コネクター３２（流出管腔１９に接続される）と、流入管腔コネクター３４（流入管腔１８に接続される）と、任意選択の内側注入管腔コネクター３６（任意選択の内側注入管腔に接続される）、貫通管腔コネクター３６（先端側注入またはガイドワイヤ管腔として使用可能な貫通管腔１６に接続される）、および任意選択の基端側注入管腔コネクター３６（任意選択の基端側注入管腔に接続される）を有する。
【００２９】
加えて、目盛り付の距離標識（ｇｒａｄｕａｔｅｄ  ｄｉｓｔａｎｃｅ  ｍａｒｋｉｎｇｓ）４２は、任意の特定の時間において体内に留置したカテーテルの長さを示すために、カテーテル本体１１の基端領域上に、任意で形成されている。また、任意選択の基端側Ｘ線写真マーカー４８および任意選択の先端側Ｘ線写真マーカー５０は、対象者の体内で熱を交換する領域（例えば、突出したチューブループ１４）の位置のＸ線写真判定（ｒａｄｉｏｇｒａｐｈｉｃ  ｄｅｔｅｒｍｉｎａｔｉｏｎ）を容易にするためにカテーテル本体上に位置する。
【００３０】
図５〜図７は、熱交換領域６０が管状導管６２を備える代替実施形態を示している。管状導管６２は、熱交換流体供給流路６２ａを形成する直径または断面寸法（ｃｒｏｓｓ−ｄｉｍｅｎｓｉｏｎ）Ｄ１の第１の一連のループ６６と、帰還流路６２ｂを形成する直径または断面寸法Ｄ２の帰還する第２の一連のループ６４とに配列されている。Ｄ２はＤ１よりも小さい。したがって、この実施形態では、帰還流路６２ｂは供給流路６２ａよりも半径方向において小さくなるように構成されている。また、この実施形態では、帰還流路６２ｂを形成する管状導管の全長は、供給流路６２ａを形成するそれよりも短い。
【００３１】
供給流路６２ａよりも半径方向において小さく、かつ／または、全体的な管状導管の長さにおいて短い帰還流路６２ｂを提供することにより、熱交換領域６０に熱交換できるように近接して（ｉｎ  ｈｅａｔ  ｅｘｃｈａｎｇｅ  ｐｒｏｘｉｍｉｔｙ  ｔｏ）流れる血液または体液との熱交換効率が実質的に増大することが判明した。
【００３２】
供給流路６２ａを形成する管状導管の部分は、カテーテルシャフトの流入管腔から熱交換流体を受容する。次に、前記熱交換流体は、貫通したコイル状供給流路６２ａの基端部からその先端部に流れ、ここで、前記熱交換流体は次に、帰還流路６２ｂを形成する前記管状導管の先端部へと循環し、次いで帰還流路６２ｂを通って基端方向に戻る。前記帰還流路は、上述したように、帰還する熱交換流体が該システムの体外部分に循環して戻るように、前記カテーテルシャフトの帰還管腔に接続されている。この熱交換領域６０の供給導管および帰還導管６２ａ，６２ｂは、先端側位置における以外は互いから離間され得、そのため前記カテーテルが対象者の血管内に配置されたときに、血液が前記導管の表面の間およびその周りに流れることができる。
【００３３】
供給流路および帰還流路６２ａ，６２ｂのループまたは他の渦巻き６４，６６は、同軸であってもよいし、同軸でなくてもよく、それらは図５および図５Ａに示す円形以外の様々な形状のものであってもよい。例えば、図６および図７は、図２Ｄおよび図２Ｅに示したものに構造および設計が類似している双方向流熱交換カテーテルの例を示しているが、これらの例では、帰還流路６２ａを形成する管状導管は供給流路６２ａのそれよりも断面寸法が小さいループに配列されている。
【００３４】
本発明の任意の実施形態において、上述の例におけるように、熱交換領域を形成する管状導管１４，６２は、必ずしもカテーテルシャフト１２の横断方向の孔に通されるか、または通過させる必要はない。むしろ、いくつかの実施形態では、熱交換領域６０は、カテーテルシャフトの外部に配置されていてもよいし、またはカテーテルシャフトから離れていてもよく、供給流路および帰還流路の入口端および出口端が、カテーテルシャフトの流入管腔および帰還管腔から循環する熱交換媒体を受容および排出するために、カテーテルシャフトに接続されているだけでよい。また、上記で説明したように、供給流路および帰還流路を形成する管状導管は、様々な形状または形態で巻回されるか、またはループ状に（ｃｏｉｌｅｄ  ｏｆ  ｌｏｏｐｅｄ）され得る。図８Ａ〜図８Ｇは、本発明によって可能である代替設計および形態の一連の網羅的でない限定されない例を示している。図８Ａにおいて、管状導管１４は、カテーテルシャフト１２から異なる平面上に突出する略正弦ループを形成するように、異なる横断面上にあるカテーテルシャフト１２の孔を通過する。図８Ｂにおいて、管状導管１４は、螺旋を形成するようにカテーテル本体に形成された孔を通過し、前記螺旋は前記螺旋の交互に並んだ渦巻きを通過する供給流路および帰還流路を有する。図８Ｃでは、示したように、管状導管１４は、二重クローバーリーフパターンで、カテーテルシャフト１２のグループ化された孔に通されている。図８Ｄでは、管状導管１４は、別々のらせん状供給流路および帰還流路が形成されるように、カテーテルシャフト１２の孔を通過している。図８Ｅでは、管状導管１４は、カテーテルシャフト１２の孔を通過していないか、または前記孔に通されていないが、カテーテルの流入管腔および流出管腔に接続され、カテーテルシャフトの先端部を越えて突出する、別々のコイル状供給流路および帰還流路に形成されている。任意で、図１２の点線によって示すように、カテーテルシャフトは、管状導管１４によって形成された熱交換領域の先端部へ、またはその先端部を越えて延びることができ、かつ、管状導管１４は、任意でカテーテルシャフト１２のそのような先端側延長部上に取り付けられるか、またはそのような先端側延長部によって支持され得る。図８Ｆは図８Ｅのそれに類似しているが、管状導管１４がカテーテルシャフト１２の内部を通過することにより、前記管状導管自体が基端側カテーテルシャフト１２を通る流入管腔および流出管腔を形成する形態を示している。図８Ａ〜図８Ｆの例は、ほぼ同じ大きさのループに巻回された管状導管１４の帰還部分および供給部分を示しているが、前記ループは大きさが異なっていてもよいことが理解される。例えば、帰還流路のループは、供給流路のそれよりも直径または断面寸法において小さくてもよく、またはその逆も同様であってもよく、かつ／または、帰還流路を形成する管状導管の実長は、供給流路を形成するそれよりも短くてもよく、または逆も同様であってもよい。供給流路および帰還流路におけるループの大きさの変化について、図８Ｇの付加的な限定されない例によって再度説明する。図８Ｇの例において、図５に示すそれとほぼ同一である管状導管１４は��カテーテルシャフト１２に取り付けられており、かつ、カテーテルシャフト１２から先端側に延びており、それによりカテーテルの先端部上に熱交換領域を有するカテーテル装置を形成している。前記熱交換領域はコイル状供給流路およびコイル状帰還流路を備え、前記供給流路は前記帰還流路のコイル状ループよりも直径または断面寸法において大きいループに巻回されている。また、図８Ｇの実施形態において、帰還流路１４を形成するチュービング１４の長さは、供給流路を形成するチュービング１４の長さよりも短い。
【００３５】
本願では、本発明の特定の実施例または実施形態に関して上述してきたが、それらの実施例および実施形態に対して、本発明の意図した趣旨および範囲から逸脱することなく、様々な追加、削除、変更および改変がなされてもよいことが理解されるはずである。例えば、一実施形態または実施例の任意の要素または特質は、特に他に規定がないか、そうすることが実施形態または実施例をその目的の用途に適さないようにしない限り、別の実施形態または実施例に組み込まれてもよいし、またはそれらと共に用いられてもよい。また、方法またはプロセスの工程が特定の順序で記載または列記されている場合、特に他に規定されていない限り、またはそうすることが前記方法およびプロセスその意図した目的に対して実行不可能にしない限り、そのような工程の順序は変更されてもよい。適当な追加、削除、改変および変更はすべて、記載された実施例および実施形態の均等物と見なされ、以下の特許請求の範囲内に含まれるべきである。
【図１】
2019088820.tif 000003
【図２Ａ】
2019088820.tif 000004
【図２Ｂ】
2019088820.tif 000005
【図２Ｃ】
2019088820.tif 000006
【図２Ｄ】
2019088820.tif 000007
【図２Ｅ】
2019088820.tif 000008
【図３】
2019088820.tif 000009
【図４】
2019088820.tif 000010
【図５】
2019088820.tif 000011
【図５Ａ】
2019088820.tif 000012
【図６】
2019088820.tif 000013
【図７】
2019088820.tif 000014
【図８Ａ】
2019088820.tif 000015
【図８Ｂ】
2019088820.tif 000016
【図８Ｃ】
2019088820.tif 000017
【図８Ｄ】
2019088820.tif 000018
【図８Ｅ】
2019088820.tif 000019
【図８Ｆ】
2019088820.tif 000020
【図８Ｇ】
2019088820.tif 000021
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
長尺状カテーテル本体と、
基端部および先端部を有する熱交換領域と、を備えるカテーテル装置であって、
前記熱交換領域は、熱交換流体が前記先端部に向かって流れる第１流路と、熱交換流体が前記基端部に向かって流れる第２流路と、を備える、カテーテル装置。
【手続補正２】
【補正対象書類名】明細書
【補正対象項目名】００３５
【補正方法】変更
【補正の内容】
【００３５】
本願では、本発明の特定の実施例または実施形態に関して上述してきたが、それらの実施例および実施形態に対して、本発明の意図した趣旨および範囲から逸脱することなく、様々な追加、削除、変更および改変がなされてもよいことが理解されるはずである。例えば、一実施形態または実施例の任意の要素または特質は、特に他に規定がないか、そうすることが実施形態または実施例をその目的の用途に適さないようにしない限り、別の実施形態または実施例に組み込まれてもよいし、またはそれらと共に用いられてもよい。また、方法またはプロセスの工程が特定の順序で記載または列記されている場合、特に他に規定されていない限り、またはそうすることが前記方法およびプロセスその意図した目的に対して実行不可能にしない限り、そのような工程の順序は変更されてもよい。適当な追加、削除、改変および変更はすべて、記載された実施例および実施形態の均等物と見なされ、以下の特許請求の範囲内に含まれるべきである。
［項目１］
長尺状カテーテル本体と、
基端部および先端部を有する熱交換領域と、を備えるカテーテル装置であって、
前記熱交換領域は、熱交換流体が前記先端部に向かって流れる第１流路と、熱交換流体が前記基端部に向かって流れる第２流路と、を備える、カテーテル装置。
［項目２］
熱交換器は熱交換流体が流れるチューブを備え、前記チューブの第１セグメントは第１流路を形成し、かつ、前記チューブの第２セグメントは第２流路を形成する、項目１に記載のカテーテル装置。
［項目３］
前記カテーテル本体は流入管腔および流出管腔を有し、かつ、前記チューブは第１端部および第２端部を有し、
前記チューブの第１端部は前記流入管腔に接続され、
前記チューブの第１セグメントは第１流路を形成し、
前記チューブの第２セグメントは第２流路を形成し、
前記チューブの第２端部は前記流出管腔に接続されている、項目２に記載のカテーテル装置。
［項目４］
前記チューブは、前記カテーテル本体の壁厚よりも薄い壁厚を有する、項目２に記載のカテーテル装置。
［項目５］
前記カテーテル本体には一連の横断方向の孔が形成されており、前記チューブは、前記チューブのループがカテーテル本体の外側に存在するように、前記孔を通り抜けている、項目２に記載のカテーテル装置。
［項目６］
前記カテーテル本体は、前記カテーテル本体の少なくとも一部を通って延び、先端側ポートにおいて先端側が終了する貫通管腔をさらに備える、項目１に記載のカテーテル装置。
［項目７］
前記貫通管腔は、前記カテーテル本体のガイドワイヤ上における前進を容易にするためのガイドワイヤ管腔として使用可能である、項目６に記載のカテーテル装置。
［項目８］
前記貫通管腔は、対象者の身体内への治療物質または装置の送達を容易にするための送達管腔として使用可能である、項目６に記載のカテーテル装置。
［項目９］
前記チューブの第１セグメントに形成されたチュービングループと、前記チューブの第２セグメントに形成されたチュービングループとが、互いに重なり合うか、または交差する、項目５に記載のカテーテル装置。
［項目１０］
前記横断方向の孔は形状が卵形または楕円形である、項目１に記載のカテーテル装置。
［項目１１］
前記横断方向の孔は、前記カテーテル本体の長手軸線に対して非直角の角度でカテーテル本体を通って延びている、項目１に記載のカテーテル装置。
［項目１２］
第１流路は第１直径または断面寸法の渦巻きまたはループを備え、第２流路は第１直径または断面寸法より小さい第２直径または断面寸法の渦巻きまたはループを備える、項目１に記載のカテーテル装置。
［項目１３］
第１流路は第１長さであり、第２流路は前記第１長さよりも短い第２長さである、項目１に記載のカテーテル装置。
［項目１４］
前記カテーテル装置を介して加熱または冷却された熱交換流体を循環させるための装置と組み合わされた、項目１に記載のカテーテル装置を含むシステム。
［項目１５］
対象者の全身または身体の一部の温度を感知するために使用可能な温度センサーをさらに備える、項目１４に記載のシステム。
［項目１６］
前記カテーテル装置を介して循環される熱交換の温度および流量の少なくとも一方を制御する制御装置をさらに備える、項目１４に記載のシステム。
［項目１７］
前記制御装置は、ａ）入力目標体温と、ｂ）感知した体温を示す温度センサーからの信号とを受信し、かつ、前記感知した体温を前記目標体温と同じか、または前記目標体温の許容範囲内にするようにさせる、またはしようとする方法で、前記熱交換流体の温度および流量の少なくとも一方を変化させるようにプログラムされている、項目１６に記載のシステム。
［項目１８］
哺乳類の対象者の体温を変更または制御するための方法であって、前記方法は、
項目１乃至１８のいずれか１項に記載の熱交換カテーテルを対象者の脈管構造内に、前記熱交換領域が前記脈管構造を介して流れる血液と接触するように、挿入する工程と、
前記熱交換領域の供給流路および帰還流路を介して熱交換流体を循環させて、前記対象者の脈管構造を介して流れる血液を加温または冷却する工程とを含む、方法。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
熱交換カテーテル装置であって、
流入管腔、流出管腔および熱交換領域を有する長尺状本体であって、前記熱交換領域が、前記長尺状本体の前記熱交換領域が血管内に配置されたときに血に接触するよう構成された管状導管を備え、前記管状導管の一端が前記流入管腔に接続され、前記管状導管の他端が前記流出管腔に接続されている、長尺状本体と、
前記流入管腔に接続されている前記管状導管の端部から熱交換流体が先端方向に流れる流体供給流路を形成する、前記管状導管の第１セグメントと、
前記流出管腔に接続されている前記管状導管の端部まで熱交換流体が基端方向に帰還する流体帰還流路を形成する、前記管状導管の第２セグメントと、
を備えており、
前記第１セグメントおよび前記第２セグメントの一方が、前記第１セグメントおよび前記第２セグメントの他方よりも長い、
熱交換カテーテル装置。
【請求項２】
前記管状導管の前記第１セグメントおよび前記第２セグメントに複数のループまたは渦巻きが形成されている、請求項１に記載の熱交換カテーテル装置。
【請求項３】
前記第１セグメントに形成された複数のループまたは渦巻きが、前記第２セグメントに形成された複数のループまたは渦巻きと重なり合うか交差する、請求項２に記載の熱交換カテーテル装置。
【請求項４】
前記第２セグメントは前記第１セグメントより短い、請求項１から３のいずれか一項に記載の熱交換カテーテル装置。
【請求項５】
前記第１セグメントおよび前記第２セグメントに複数のループまたは渦巻きが形成されており、
前記第１セグメントに形成された複数のループまたは渦巻きは、前記第２セグメントに形成された複数のループまたは渦巻きと、直径または断面寸法において異なる、請求項４に記載の熱交換カテーテル装置。
【請求項６】
前記第１セグメントによって占められる長手方向の端から端までの距離は、前記第２セグメントによって占められる長手方向の端から端までの距離に等しい、請求項１から５のいずれか一項に記載の熱交換カテーテル装置。
【請求項７】
前記管状導管の前記第１セグメント及び前記第２セグメントは、初期は潰れた形態であり、熱交換流体が循環される場合に拡張した形態を取る、請求項１から６のいずれか一項に記載の熱交換カテーテル装置。
【請求項８】
前記管状導管が、約０．０２５４ｍｍ（０．００１インチ）未満の壁厚、または前記熱交換流体が循環するときに６８９ＫＰａ（１００ｐｓｉ）までの圧力に耐えるのに十分な別の厚さを有している、請求項１から７のいずれか一項に記載の熱交換カテーテル装置。
【請求項９】
前記管状導管が、前記長尺状本体の先端部分の間隔をおいた位置に通されるか通過させられている、請求項１から８のいずれか一項に記載の熱交換カテーテル装置。
【請求項１０】
前記管状導管が、前記長尺状本体の前記先端部分に形成された一連の間隔をおいた横断方向の孔に通されるか通過させられている、請求項９に記載の熱交換カテーテル装置。
【請求項１１】
前記熱交換カテーテル装置を通って長手方向に延び、かつ、先端側ポートにおいて先端側が終了する貫通管腔をさらに備えている、請求項１から１０のいずれか一項に記載の熱交換カテーテル装置。
【請求項１２】
前記貫通管腔が、前記熱交換カテーテル装置のガイドワイヤ上における挿入を容易にするためのガイドワイヤ管腔として使用可能である、請求項１１に記載の熱交換カテーテル装置。
【請求項１３】
前記貫通管腔が、治療物質または装置の送達を容易にするための送達管腔として使用可能である、請求項１１に記載の熱交換カテーテル装置。
【請求項１４】
前記管状導管の前記第１セグメントおよび前記第２セグメントに複数のループまたは渦巻きが形成されており、前記第１セグメントに形成された複数のループまたは渦巻きが、前記第２セグメントに形成された複数のループまたは渦巻きと同軸ではない、請求項１から１３のいずれか一項に記載の熱交換カテーテル装置。
【請求項１５】
前記管状導管の前記第１セグメントおよび前記第２セグメントに複数のループまたは渦巻きが形成されており、
前記第１セグメントに形成された複数のループまたは渦巻きが、前記第２セグメントに形成された複数のループまたは渦巻きと同軸である、請求項１から１３のいずれか一項に記載の熱交換カテーテル装置。
【請求項１６】
前記流体供給流路を通り、前記流体帰還流路を通り、前記流出管腔から出て、前記流入管腔内の加熱または冷却された熱交換流体を循環させるための装置と組み合わせる請求項１から１５のいずれか一項に記載の熱交換カテーテル装置を備えている、システム。
【請求項１７】
対象者の体温を感知するための温度センサーをさらに備えている、請求項１６に記載のシステム。
【請求項１８】
前記温度センサーが制御装置に接続されており、前記制御装置が前記温度センサーから受け取った前記感知された対象者の体温の表示に応答して、前記熱交換流体の前記温度または流量を調節するようにプログラムされている、請求項１７に記載のシステム。
【請求項１９】
ユーザーインタフェースをさらに備えており、前記ユーザーインタフェースによってユーザーが目標体温を前記制御装置に入力できる、請求項１８に記載のシステム。